(57)【特許請求の範囲】
【請求項１】
少なくとも１つのコントローラと複数のユニットとを含む無線機器間で通信設定を行うシステムであって、
前記コントローラと各ユニットとは初期状態においてグローバル伝送パターンを用いて互いに通信可能としており、
前記コントローラは、
前記グローバル伝送パターンを用いた通信設定状態で、全ユニットに対して同一のローカル伝送パターンを送信する手段、
を備え、
各ユニットは、
前記ローカル伝送パターンを受信した際、前記コントローラに応答メッセージを送信する応答手段と、
前記応答メッセージの送信後、自ユニットの伝送パターンを受信したローカル伝送パターンに切り替える手段と、
を備え、
前記コントローラは、さらに、
最初に受信した応答メッセージの送信元ユニットを、当該ローカル伝送パターンを割り当てるユニットとして認識する伝送パターン割当手段、
を備えることを特徴とする無線通信設定システム。
【請求項２】
請求項１記載の無線通信設定システムであって、
前記応答手段は、
各ユニットで固有のＩＤコードを含む応答メッセージを前記コントローラに送信する手段、
を含み、
前記伝送パターン割当手段は、
ローカル伝送パターンの送信に対して最初に受信した応答メッセージに含まれるＩＤコードを、コントローラの伝送パターンを当該ローカル伝送パターンに切り替えたうえで、各ユニットに対して送信する手段、
を含み、
前記ユニットは、さらに、
前記伝送パターン割当手段が送信したＩＤコードを受信した際、自ユニットのＩＤコードと受信したＩＤコードとを照合することにより、自ユニットに対して割り当てられたローカル伝送パターンを確認する照合手段、
を備えることを特徴とする無線通信設定システム。
【請求項３】
請求項２に記載の無線通信設定システムであって、
前記伝送パターン割当手段が送信したＩＤコードを受信したユニットのうち、自ユニットのＩＤコードと受信したＩＤコードとが一致しないユニットは、自ユニットの伝送パターンを再びグローバル伝送パターンに切り替えることを特徴とする無線通信設定システム。
【請求項４】
請求項１ないし請求項３のいずれかに記載の無線通信設定システムであって、第１のローカル伝送パターンを割り当てられた第１のユニットと、第２のローカル伝送パターンを割り当てられた第２のユニットとが存在しており、
前記コントローラは、
前記第１のローカル伝送パターンを用いた通信設定状態で、前記第１のユニットに対して、前記第２のユニットのＩＤコードと前記第２のローカル伝送パターンとを送信する手段、
を含むことを特徴とする無線通信設定システム。
【請求項５】
少なくとも１つのコントローラと複数のユニットとを含む複数の無線機器間で通信設定を行う方法であって、
前記コントローラと各ユニットとは初期状態においてグローバル伝送パターンを用いて互いに通信可能としており、
a)前記コントローラが、前記グローバル伝送パターンを用いた通信設定状態で、全ユニットに対して同一のローカル伝送パターンを送信する工程と、
b)各ユニットが、前記ローカル伝送パターンを受信した際、前記コントローラに応答メッセージを送信する工程と、
c)前記応答メッセージを送信した各ユニットが、自ユニットの伝送パターンを受信したローカル伝送パターンに切り替える工程と、
d)前記コントローラが、最初に受信した応答メッセージの送信元ユニットを、当該ローカル伝送パターンを割り当てるユニットとして認識する工程と、
を備えることを特徴とする無線通信設定方法。
【請求項６】
請求項５に記載の無線通信設定方法であって、
前記工程b)は、
b-1)各ユニットで固有のＩＤコードを含む応答メッセージを、前記コントローラに送信する工程、
を含み、
前記工程d)は、
d-1)最初に受信した応答メッセージに含まれるＩＤコードを各ユニットに対して送信する工程、
を含み、
前記無線通信設定方法は、さらに、
e)各ユニットが、前記コントローラから受信したＩＤコードと、自ユニットのＩＤコードとを照合することにより、自ユニットに割り当てられたローカル伝送パターンを確認する工程と、
f)前記コントローラから受信したＩＤコードと、自ユニットのＩＤコードとが一致しないユニットが、自ユニットの伝送パターンを再びグローバル伝送パターンに切り替える工程と、
を備えることを特徴とする無線通信設定方法。
【発明の詳細な説明】
【０００１】
【発明の属する技術分野】
本発明は、無線伝送エリア内において複数の無線機器間で通信設定を行うシステムの構成に関する。
【０００２】
【技術背景】
無線伝送機器間において画像信号、音声信号、または各種データなど、アナログあるいはデジタルの情報を無線（ワイヤレス）伝送する技術が存在する。
【０００３】
無線伝送は物理的な配線が無いため、同一仕様の複数の無線送受信機間で伝送路を同調させる場合には、時分割、周波数分割、符号分割などの方法で伝送路を多重化する必要がある。
【０００４】
たとえば、プライバシー確保やドメイン分割などの理由から、近接する無線伝送機器の組み合わせを制限する必要がある場合には、時分割や周波数分割などの多重化を行い、子機の各々に利用チャンネルやアドレス、ＩＤナンバなどを割り振るようにしている。
【０００５】
【発明が解決しようとする課題】
しかしながら、あらたな子機を追加する毎に、あるいは子機の数を減少させる毎にこのような設定を行うのは手間がかかる。また、近接する住居などにおいて無線伝送に混信がおこらないように設定すること、つまり、個々のプライバシー確保を考慮しながらの手動設定は面倒である。
【０００６】
本発明は上記問題点に鑑み、無線機器の設定を簡易化し、領域の分割も明確に行う手段を提供することを目的とする。
【０００７】
【課題を解決するための手段】
上記課題を解決するため、請求項１の発明は、少なくとも１つのコントローラと複数のユニットとを含む無線機器間で通信設定を行うシステムであって、前記コントローラと各ユニットとは初期状態においてグローバル伝送パターンを用いて互いに通信可能としており、前記コントローラは、前記グローバル伝送パターンを用いた通信設定状態で、全ユニットに対して同一のローカル伝送パターンを送信する手段を備え、各ユニットは、前記ローカル伝送パターンを受信した際、前記コントローラに応答メッセージを送信する応答手段と、前記応答メッセージの送信後、自ユニットの伝送パターンを受信したローカル伝送パターンに切り替える手段とを備え、前記コントローラは、さらに、最初に受信した応答メッセージの送信元ユニットを、当該ローカル伝送パターンを割り当てるユニットとして認識する伝送パターン割当手段を備えることを特徴とする。
【０００８】
請求項２の発明は、請求項１記載の無線通信設定システムであって、前記応答手段は、各ユニットで固有のＩＤコードを含む応答メッセージを前記コントローラに送信する手段を含み、前記伝送パターン割当手段は、ローカル伝送パターンの送信に対して最初に受信した応答メッセージに含まれるＩＤコードを、コントローラの伝送パターンを当該ローカル伝送パターンに切り替えたうえで、各ユニットに対して送信する手段を含み、前記ユニットは、さらに、前記伝送パターン割当手段が送信したＩＤコードを受信した際、自ユニットのＩＤコードと受信したＩＤコードとを照合することにより、自ユニットに対して割り当てられたローカル伝送パターンを確認する照合手段を備えることを特徴とする。
【０００９】
請求項３の発明は、請求項２に記載の無線通信設定システムであって、前記伝送パターン割当手段が送信したＩＤコードを受信したユニットのうち、自ユニットのＩＤコードと受信したＩＤコードとが一致しないユニットは、自ユニットの伝送パターンを再びグローバル伝送パターンに切り替えることを特徴とする。
【００１０】
請求項４の発明は、請求項１ないし請求項３のいずれかに記載の無線通信設定システムであって、第１のローカル伝送パターンを割り当てられた第１のユニットと、第２のローカル伝送パターンを割り当てられた第２のユニットとが存在しており、前記コントローラは、前記第１のローカル伝送パターンを用いた通信設定状態で、前記第１のユニットに対して、前記第２のユニットのＩＤコードと前記第２のローカル伝送パターンとを送信する手段を含むことを特徴とする。
【００１１】
請求項５の発明は、少なくとも１つのコントローラと複数のユニットとを含む複数の無線機器間で通信設定を行う方法であって、前記コントローラと各ユニットとは初期状態においてグローバル伝送パターンを用いて互いに通信可能としており、a)前記コントローラが、前記グローバル伝送パターンを用いた通信設定状態で、全ユニットに対して同一のローカル伝送パターンを送信する工程と、b)各ユニットが、前記ローカル伝送パターンを受信した際、前記コントローラに応答メッセージを送信する工程と、c)前記応答メッセージを送信した各ユニットが、自ユニットの伝送パターンを受信したローカル伝送パターンに切り替える工程と、d)前記コントローラが、最初に受信した応答メッセージの送信元ユニットを、当該ローカル伝送パターンを割り当てるユニットとして認識する工程とを備えることを特徴とする。
【００１２】
請求項６の発明は、請求項５に記載の無線通信設定方法であって、前記工程b)は、b-1)各ユニットで固有のＩＤコードを含む応答メッセージを、前記コントローラに送信する工程を含み、前記工程d)は、d-1)最初に受信した応答メッセージに含まれるＩＤコードを各ユニットに対して送信する工程を含み、前記無線通信設定方法は、さらに、e)各ユニットが、前記コントローラから受信したＩＤコードと、自ユニットのＩＤコードとを照合することにより、自ユニットに割り当てられたローカル伝送パターンを確認する工程と、f)前記コントローラから受信したＩＤコードと、自ユニットのＩＤコードとが一致しないユニットが、自ユニットの伝送パターンを再びグローバル伝送パターンに切り替える工程とを備えることを特徴とする。
【００１３】
【発明の実施の形態】
以下、図面を参照しつつ本発明の実施の形態について説明する。
【００１４】
｛１．システム構成｝
図１は、ワイヤレス伝送エリア１内の機器構成を示す図である。ワイヤレス伝送エリア１内には、所定エリアを撮像するとともに、撮像した映像情報をワイヤレス伝送路を使用して送信するワイヤレスカメラＳ，Ｓ，・・・（以下、適宜ユニットＳ，Ｓ，・・・と称す）と、ワイヤレス伝送路を経由して映像情報を受信する液晶モニタ装置Ｍ，Ｍ，・・・（以下、適宜ユニットＭ，Ｍ，・・・と称す）と、ワイヤレス伝送エリア１内の無線機器（ユニットＭ，Ｓ）の通信管理を行うコントローラ１０とが配置されている。
【００１５】
ここで、ワイヤレスカメラＳと液晶モニタ装置Ｍとは、用途に関しては、撮像装置と映像出力装置であるという点において異なる機能を有するものであるが、本実施形態において、コントローラ１０の通信設定管理のもとで動作する無線機器としては、同様の機能を有するユニットである。
【００１６】
ワイヤレス伝送エリア１は、たとえば、家屋内や、ビル屋内のエリアであり、各部屋もしくは各フロア等に設置されたワイヤレスカメラＳが各部屋等の映像を撮像し、撮像した映像情報を液晶モニタ装置Ｍが受信することで、屋内の情報を観察可能としている。
【００１７】
コントローラ１０は、本実施形態においては、液晶モニタ装置としての機能を併せ持っているが、通信管理を行う専用装置であってもよいし、別の機能を備えた機器構成としてもよい。ワイヤレス伝送エリア１内には、このように各機器の通信設定を管理するコントローラ１０が少なくとも１つ存在する。
【００１８】
図２は、コントローラ１０およびユニットＭ，Ｓのブロック構成図である。前述の如く、ユニットＭ，Ｓとは本実施形態に係る無線機器の構成としては同様の構成としているので、同一の図で表している。なお、図中、撮像装置や液晶モニタ装置などの装置構成は図示省略し、無線通線設定に関する構成のみを図示している。
【００１９】
コントローラ１０および各ユニットＭ，Ｓは、ワイヤレス伝送エリア１内で互いに通信確立を可能とする共通のワイヤレス伝送パターンを保持している。この共通の伝送パターンをグローバル伝送パターンＧＰとする。グローバル伝送パターンＧＰは、コントローラ１０および各ユニットＭ，Ｓのメモリ１２，２２に初期状態で記憶されている。
【００２０】
コントローラ１０および各ユニットＭ，Ｓは、それぞれ伝送パターン設定手段１６，２６を備えており、伝送パターン設定手段１６，２６が設定した伝送パターンに従って通信モジュール１７，２７間で通信が行われる。つまり、コントローラ１０およびユニットＭ，Ｓ間では、伝送パターン設定手段１６，２６の設定変更により複数の伝送パターンを切り替えながら無線通信を行うことを可能としているのである。
【００２１】
そして、前述の如く初期状態においてはコントローラ１０およびユニットＭ，Ｓはメモリ１２，２２にグローバル伝送パターンＧＰを保持している。従って、伝送パターン設定手段１６，２６はグローバル伝送パターンＧＰをメモリから適宜呼び出して設定することにより、コントローラ１０およびユニットＭ，Ｓ間は初期状態において互いに通信可能としている。
【００２２】
全ユニットで共通なグローバル伝送パターンＧＰに対して、各ユニットに割り当てられる固有の（ユニークな）伝送パターンをローカル伝送パターンＬＰとする。コントローラ１０は各ユニットにユニークなローカル伝送パターンＬＰを保持することにより、各ユニットと個別に通信することが可能となる。
【００２３】
本実施形態においては、コントロール１０およびユニットＭ，Ｓ間の伝送方式は周波数ホッピング方式を採用しており、他のシステムからの干渉に強い構成としている。つまり、本実施形態においては、伝送パターン（上記グローバル伝送パターンＧＰおよびローカル伝送パターンＬＰを含む）とは、周波数のホッピングパターンを示している。また、コントロール１０およびユニットＭ，Ｓ間の伝送方式が符合分割多元接続方式を採用している場合には、伝送パターンは、ユニットごとに割り振る固有の符合を示すこととなる。各無線機器間の伝送方式は他の方式でもよく、その伝送方式において多重化された個々の伝送を区別するパラメータのパターンが存在する場合、このパターンを示したものが伝送パターンである。
【００２４】
各ユニットは、ユニークなローカル伝送パターンＬＰとともにユニークなアドレスＡＤが設定される。ここで、ローカル伝送パターンＬＰはコントローラ１０のみが決定することが可能であり、伝送パターンの要素となるパラメータは、パラメータ生成手段１４によって生成される。そして、生成されるパラメータのパターンは、相互相関性を低くしているので、ある時間にワイヤレス伝送エリア１内で複数存在するローカル伝送パターンＬＰの相互相関性は低い。また、各ユニットは、ローカル伝送パターンＬＰに切り替えられた状態からグローバル伝送パターンＧＰに再設定する手段を備えている。
【００２５】
コントローラ１０は、ユニット情報テーブル１３を備えており、各ユニットＭ，Ｓに割り当てたローカル伝送パターンＬＰやアドレスＡＤの情報を蓄積している。パラメータ生成手段１４および伝送パターン割当手段１５の機能については後述する。そして、これら各手段や情報テーブルへの処理を実行するＣＰＵ１１を備えている。また、ユニットＭ，Ｓは、その機能については後述するが、応答手段２４、照合手段２３を備えており、これら各手段の処理を実行するＣＰＵ２１を備えている。
【００２６】
｛２．設定処理｝
次に、コントローラ１０およびユニットＭ，Ｓが備える通信設定に関わる各手段の説明とあわせて、無線機器間での初期運用時における無線通信設定方法について説明する。
【００２７】
＜手順１＞
まず、手順１について図４のフローチャートを参照しながら説明する。前提条件として、コントローラ１０およびユニットＭ，Ｓは、初期状態においてグローバル伝送パターンＧＰが設定されており、相互に通信可能な状態となっている。また、各ユニットＭ，Ｓは、各ユニットで固有の（ユニークな）ＩＤコード２０を保持している。各ユニットＭ，Ｓにおいて生成されるＩＤコード２０は、ランダムカウンターにより発生される多桁のコードであるので、高いユニーク性を保っている。
【００２８】
以上の前提条件のもとで、まず、コントローラ１０は、ある特定のアドレスＡＤおよびローカル伝送パターンＬＰを送信パケットの中にセットし、全てのユニットＭ，Ｓ，・・・に対して送信する（ステップＳ１０１）。この特定のアドレスＡＤおよびローカル伝送パターンＬＰを、仮にアドレスＡＤ１およびローカル伝送パターンＬＰ１とする。このローカル伝送パターンＬＰ１に関するパラメータ（たとえばホッピングパターン）は、パラメータ生成手段１４によって生成される。なお、この通信はグローバル伝送パターンＧＰのもとで行われる。ステップＳ１０１における処理状態を図３（ａ）に示す。
【００２９】
ここで、ローカル伝送パターンＬＰに切り替わっていないユニットＭ，Ｓ（つまり、グローバル伝送パターンＧＰで通信可能状態にあるユニットＭ，Ｓ）が存在する場合（ステップＳ１０２）には、ステップＳ１０３に移行する。なお、初期状態では、全てのユニットＭ，Ｓがグローバル伝送パターンＧＰに設定されているので、ステップＳ１０３に移行することとなる。
【００３０】
そして、コントローラ１０からアドレスＡＤ１およびローカル伝送パターンＬＰ１を受信したユニットＭ，Ｓは、あらかじめランダムに設定された送信待ち時間を経過後に、応答手段２４を実行させることにより、ユニットごとにユニークに設定された自ユニットのＩＤコード２０を送信パケットに含ませ、コントローラ１０に対して応答メッセージとして送信する（ステップＳ１０３）。ステップＳ１０３における処理状態を図３（ｂ）に示す。なお、この応答処理は、グローバル伝送パターンＧＰを用いて行われる。
【００３１】
ここで、応答メッセージを送信するユニットは、応答メッセージの送信に先立って、他のユニットＭ，Ｓが既にコントローラ１０に対して応答メッセージを送信しているか否かのモニタリングを行う。そして、コントローラ１０に対する応答メッセージを送信しているユニットＭ，Ｓがない場合には、コントローラ１０に対して応答メッセージを送信するようにしている。ただし、他のユニットＭ，Ｓの送信状態をモニター受信してから、コントローラ１０に対する応答メッセージを送信するまでの間には遅延時間が生じるため、この時間差で他のユニットＭ，Ｓがコントローラ１０に対して応答メッセージを送信する可能性がある。このような場合には、複数のユニットＭ，Ｓがコントローラ１０に対して応答メッセージを送信することとなるが、このような場合の対策処理は手順２において説明する。
【００３２】
そして、自ユニットのＩＤコード２０を含む応答メッセージを送信したユニットＭ，Ｓは、伝送パターン設定手段２６を実行して、自ユニットの伝送パターンをグローバル伝送パターンＧＰからローカル伝送パターンＬＰ１に切り替える（ステップＳ１０４）。
【００３３】
以上で、アドレスＡＤ１およびローカル伝送パターンＬＰ１に関する手順１の処理が終了し、次に、異なるアドレスＡＤおよびローカル伝送パターンＬＰを各ユニットＭ，Ｓに送信する。この異なるアドレスＡＤおよびローカル伝送パターンＬＰを、仮にアドレスＡＤ２およびローカル伝送パターンＬＰ２とする。
【００３４】
そして、アドレスＡＤ２およびローカル伝送パターンＬＰ２に関して、上記ステップＳ１０１〜Ｓ１０４と同様の処理を行う。さらに、アドレスＡＤ２およびローカル伝送パターンＬＰ２についての処理が終了すると、次の異なるアドレスＡＤおよびローカル伝送パターンＬＰについての処理を行い最終的にコントローラ１０への受信が途絶えるまで繰り返し処理を行う。つまり、ステップＳ１０２の判定において、ローカル伝送パターンＬＰに切り替わっていないユニットＭ，Ｓが存在しなくなった場合には、手順２へ移行する。
【００３５】
＜手順２＞
次に、手順２の処理について図５のフローチャートを用いて説明する。手順２においては手順１の処理の正当性についてチェックを行う処理である。
【００３６】
まず、コントローラ１０の伝送パターンをローカル伝送パターンＬＰに切り替える。ここでセットするローカル伝送パターンＬＰは、手順１でユニットＭ，Ｓへ送信した伝送パターンであり、なお且つＩＤコード２０を含む応答メッセージを受信したものである（ステップＳ２０１）。ここでは、まず、コントローラ１０は、伝送パターン設定手段１６を実行することにより、ローカル伝送パターンＬＰ１に切り替えられたものとする。
【００３７】
次に、コントローラ１０からＩＤコード２０をセットしたパケットを各ユニットＭ，Ｓに送信する（ステップＳ２０２）。ここでセットするＩＤコード２０は、ローカル伝送パターンＬＰ１を割り当てたユニットのＩＤコード２０、つまり、手順１においてローカル伝送パターンＬＰ１を送信した際に、最初に受信した応答メッセージに含まれるＩＤコード２０である。つまり、手順１では、複数のユニットＭ，Ｓが同一のローカル伝送パターンに対して応答メッセージを送信する可能性があることを説明したが、コントローラ１０の伝送パターン割当手段１５は、最初に受信した応答メッセージの送信元ユニットを、当該ローカル伝送パターンＬＰを割り当てるユニットであると認識し、その応答メッセージに含まれるＩＤコード２０を確認として返信するのである。
【００３８】
ここで、コントローラ１０が送信したＩＤコード２０を受信できるのは、手順１において伝送パターンをローカル伝送パターンＬＰ１に切り替えているユニットである。そして、コントローラ１０が送信したＩＤコード２０を受信したユニットは、照合手段２３により、受信したＩＤコード２０と、自ユニットのＩＤコード２０との照合を行う。そして、ＩＤコード２０が一致したユニットは、正常を示すメッセージをコントローラ１０に送信するのである（ステップＳ２０３）。
【００３９】
ここで、コントローラ１０に正常メッセージを送信するのは、たかだか１つのユニットである。そして、ＩＤコード２０を受信したが、受信したＩＤコード２０と自ＩＤコード２０とが一致しないユニットは、再びグローバル伝送パターンＧＰに切り替える（ステップＳ２０４）。このようにして、正当性のチェックが行われる。即ち、手順１で説明したように複数のユニットが同一のローカル伝送パターンＬＰ１に対して応答メッセージを送信し、同一のローカル伝送パターンＬＰ１に切り替わっている場合でも、ローカル伝送パターンＬＰ１およびアドレスＡＤ１が、特定のユニットに付与されたことがコントローラ１０および各ユニットに確認され、残りのユニットは再び未設定（グローバル設定）の状態となるのである。
【００４０】
次に、コントローラ１０は、認識している別のローカル伝送パターンＬＰおよびＩＤコード２０が存在するかの判定（ステップＳ２０５）を行い、認識している別のＩＤコード２０が存在する場合（つまり、ＩＤコードを含む応答メッセージを受信しているローカル伝送パターンが存在する場合）には、コントローラ１０は、そのローカル伝送パターンに切り替えられる（ステップＳ２０６）。ここでは、他のローカル伝送パターンＬＰ２に対するＩＤコード２０が存在し、コントローラ１０はローカル伝送パターンＬＰ２に切り替えられたものとする。
【００４１】
そして、ステップＳ２０２に戻り、ローカル伝送パターンＬＰ２について、同様の処理を行う。このようにして、コントローラ１０は受信している全てのＩＤコード２０に対して手順２の処理を実行する。そして、全てのＩＤコード２０に対する処理が終了すると、手順１に戻る。つまり、ステップＳ２０５の判定において、別のローカル伝送パターンＬＰが存在しないと判定された場合には、コントローラ１０は、再びグローバル伝送パターンＧＰに切り替えられ（ステップＳ２０７）、手順１に戻るのである。
【００４２】
ここで、手順１において複数のユニットが同一のローカル伝送パターンに切り替わる状態とならなかった場合には、上記手順１および手順２を実行することによって、全てのユニットＭ，Ｓに対してユニークなローカル伝送パターンＬＰが割り振られることとなる。しかし、手順１において、複数のユニットが同一のローカル伝送パターンに切り替わる状態が発生している場合には、正当性の確認がとれなかったユニットについては、再びグローバル伝送パターンＧＰに切り替わっているため（ステップＳ２０４）、手順１および手順２を繰り返し処理し、すべてのユニットについての正当性が確認できるまで処理を行うのである。
【００４３】
このように本実施形態の無線通信設定システムは、ユニットＭおよびユニットＳに対して、ローカル伝送パターンＬＰとＩＤコード２０の複数のユニークな情報を使用することで秘匿性を向上させている。また、ローカル伝送パターンＬＰに関するパラメータは、非常にランダム性に優れているので解析が困難となるようにしている。
【００４４】
＜手順３＞
次に、手順３の処理について図６のフローチャートを用いて説明する。手順３においては、手順１および手順２が終了した時点で、ユニットＭが存在している場合には、ユニットＭに対してユニットＳの情報を転送する処理である。
【００４５】
ただし、コントローラ１０は、受信するメッセージからユニットＭとユニットＳとを識別することが可能であり、ユニットＭの存在およびユニットＳの存在は、手順１および手順２において確認され、ＩＤコード２０、ローカル伝送パターンＬＰ等とともにユニット情報テーブルに１３に蓄積されている。
【００４６】
手順３において、まず、コントローラ１０の伝送パターンを、ある特定のユニットＭの持つローカル伝送パターンＬＰに切り替える（ステップＳ３０１）。
【００４７】
そして、テーブルに保持している全てのユニットＭに対して順次、確認済みのユニットＳのＩＤコード２０とローカル伝送パターンＬＰとを送信する（ステップＳ３０２）。これにより、各ユニットＭは全てのユニットＳのＩＤコード２０とローカル伝送パターンＬＰとを取得することができる。本実施形態でいえば、各液晶モニタ装置Ｍは、全てのワイヤレスカメラＳの伝送パターンを取得することにより、各部屋（フロア）の撮影映像を切り替え出力することが可能となるのである。
【００４８】
また、コントローラ１０は、個々のユニットＭに対して、どのユニットＳの情報を送信するかの設定、つまり、個々のユニットＭに対してユニットＳを選択的に設定する機能を備えている。この機能は、個々のユニットＭに対するプライバシーレベルを設定するものである。
【００４９】
以上の手順を経ることにより、各ユニットＭは複数のユニットＳと無線通信が可能となるが、各ユニットＳとの通信はユニークなローカル伝送パターンを利用するため、同一時間、同じ伝送エリアで、複数のユニットＳとユニットＭとの組み合わせで情報を送受信することが可能である。これは、非常に相互相関性が低いローカル伝送パターンＬＰを使用しているので干渉が起こりにくいためである。
【００５０】
＜追加、削除時の処理＞
ユニットＭおよびユニットＳが増設された場合、もしくは削除された場合には、コントロール１０からのセットアップの要求により、初期セットアップ時の手順１〜手順３の処理を実行する。これにより、増設後、もしくは削除後の機器構成において無線通信設定が自動的に再設定されるため、面倒な調整作業が不要となり、容易に機器の追加、削除が行えるのである。
【００５１】
【発明の効果】
以上説明したように、請求項１の発明は、無線機器間で通信設定を行うシステムであって、グローバル伝送パターンを用いた通信設定状態で、コントローラが全ユニットに対して同一のローカル伝送パターンを送信し、最初に応答メッセージを送信したユニットに対して当該ローカル伝送パターンを割り当てるようにしたので、個々のユニットに対して固有の伝送パターンが付与される。また、初期設定時や、無線機器の追加、削除などの構成変更時には、面倒な設定操作を行うことなく無線機器間での通信設定が自動的に行われるため、メンテナンスの負担を軽減させることができる。
【００５２】
請求項２の発明は、コントローラが送信したＩＤコードを受信した際、自ユニットのＩＤコードと受信したＩＤコードとを照合することにより、自ユニットに対して割り当てられたローカル伝送パターンを確認するようにしたので、各ユニットは、固有の伝送パターンを付与されたことを確実に認識することが可能となる。
【００５３】
請求項３の発明は、コントローラが送信したＩＤコードを受信した際、自ユニットのＩＤコードと受信したＩＤコードとが一致しないユニットは、自ユニットの伝送パターンを再びグローバル伝送パターンに切り替えるので、固有の伝送パターンを付与されない状態においては、共通の伝送パターンに復帰させることにより、再び固有の伝送パターンを付与される機会を得ることができる。
【００５４】
請求項４の発明は、コントローラは、第１のローカル伝送パターンを用いた通信設定状態で、第１のユニットに対して、第２のユニットのＩＤコードと第２のローカル伝送パターンとを送信するので、コントローラを介することなく、任意のユニット間での通信が可能となる。
【００５５】
請求項５および請求項６の発明は、コントローラとユニット間における無線通信設定方法であり、初期設定時および機器の追加、削除時にも面倒な設定操作は不要となる。
【図面の簡単な説明】
【図１】ワイヤレス伝送エリア内の機器構成を示す図である。
【図２】コントローラおよびユニットのブロック構成図である。
【図３】手順１における処理状態を示す図である。
【図４】手順１における処理を示すフローチャートである。
【図５】手順２における処理を示すフローチャートである。
【図６】手順３における処理を示すフローチャートである。
【符号の説明】
１      ワイヤレス伝送エリア
１０    コントローラ
ＡＤ    アドレス
ＧＰ    グローバル伝送パターン
ＬＰ    ローカル伝送パターン
Ｍ      ユニット（液晶モニタ装置）
Ｓ      ユニット（ワイヤレスカメラ）
【図１】
0004514939.tif 000002
【図２】
0004514939.tif 000003
【図３】
0004514939.tif 000004
【図４】
0004514939.tif 000005
【図５】
0004514939.tif 000006
【図６】
0004514939.tif 000007